(57)【要約】【課題】正確な位置に確実に配置することが可能な人工歯および人工歯セット並びに有床義歯を提供する。【解決手段】人工歯１０は、歯列弓における歯の位置を示す識別情報１３が義歯床に埋没する基底面１１に付与されている。この識別情報１３は、ＦＤＩ方式、ユニバーサル方式、Ｚｓｉｇｍｏｎｄｙ−Ｐａｌｍｅｒ方式またはＭＩＣＡＰ方式のいずれかによる歯式番号とすることができる。人工歯１０の排列位置を特定することができるため、人工歯を取り違えることなく正確に配置することができる。【選択図】図１
2019208643.tif 000002
【特許請求の範囲】
【請求項１】
歯列弓における歯の位置を示す識別情報が付与された人工歯。
【請求項２】
前記識別情報は、義歯床に埋没する基底面に形成された請求項１記載の人工歯。
【請求項３】
前記識別情報は、前記歯列弓における歯の位置を示す歯式番号を含む請求項１または２記載の人工歯。
【請求項４】
前記歯式番号は、前記歯式番号の上側が唇側、口蓋側、舌側、頬側、遠心側または近心側のいずれかを向くように配置された請求項３記載の人工歯。
【請求項５】
前記歯式番号は、ＦＤＩ方式、ユニバーサル方式、Ｚｓｉｇｍｏｎｄｙ−Ｐａｌｍｅｒ方式またはＭＩＣＡＰ方式のいずれかによる表記である請求項３または４記載の人工歯。
【請求項６】
前記識別情報は、溝による凹部または出っ張りによる凸部により形成された請求項２記載の人工歯。
【請求項７】
前記識別情報には、歯の種類を識別するための文字情報が含まれる請求項１から６のいずれかの項に記載の人工歯。
【請求項８】
前記基底面には、歯の種類を、開口部の形状により識別可能な凹部、または天面の形状により識別可能な凸部が形成された請求項２記載の人工歯。
【請求項９】
前記識別情報が格納され、無線信号に読み取り可能な発信素子が内蔵された請求項１から８のいずれかの項に記載の人工歯。
【請求項１０】
前記請求項１から９のいずれかの項に記載の人工歯を複数備えた人工歯セット。
【請求項１１】
前記請求項１から９のいずれかの項に記載の人工歯と、前記人工歯を支持する義歯床とを備えた有床義歯。
【発明の詳細な説明】
【技術分野】
【０００１】
本発明は、損失した歯の代用となる人工歯および人工歯セット並びに有床義歯に関するものである。
【背景技術】
【０００２】
歯が損失すると食物が噛み難いため有床義歯が使用されることがある。この有床義歯は人工歯が義歯床に配置される。
人工歯は、前歯用や臼歯用が準備されており、損失した歯の位置に応じて、対応する人工歯が使用される。このような人工歯について、特許文献１に記載されたものが知られている。
【０００３】
特許文献１には、少なくとも２つの隣り合う人工歯のセットであって、人工歯の隣接面に有する柱状の凸部を有し、もう一方の人工歯の隣接面に有する柱状の凹部を有し、人工歯の凸部が隣接する人工歯の凹部に挿入される人工歯セットが記載されている。
【先行技術文献】
【特許文献】
【０００４】
【特許文献１】特開２０１６−１１２２４９号公報
【発明の概要】
【発明が解決しようとする課題】
【０００５】
この特許文献１に記載の人工歯セットでは、凸部と凹部とが遠心側、近心側とに形成されているため、隣接する人工歯同士を並べ易くすることができ、義歯床を製作するときの蝋堤に配置するときには舌側または口蓋側と、頬側との区別を容易とするものである。
しかし、人工歯は前歯と臼歯の違いは明確であっても、第１大臼歯と第２大臼歯、第１大臼歯と第２小臼歯、左右の大臼歯同士や小臼歯同士、左右の中切歯同士や側切歯同士など、区別が付き難く、色々な組み合わせで勘違いを発生させるおそれがある。そうなると、歯科医師や歯科技工士が誤って人工歯を異なる位置に配置して有床義歯を作製するおそれがある。
【０００６】
そこで本発明は、正確な位置に確実に配置することが可能な人工歯および人工歯セット並びに有床義歯を提供することを目的とする。
【課題を解決するための手段】
【０００７】
本発明の人工歯は、歯列弓における歯の位置を示す識別情報が付与されたことを特徴とする。
【０００８】
歯列弓における歯の位置を示す識別情報が付与されているため、歯科医師や歯科技工士が識別情報を見れば歯列弓における歯の位置を把握することができる。
【０００９】
前記識別情報が、義歯床に埋没する基底面に形成されていれば、有床義歯としたときに識別情報が義歯床に隠れるため、装着者からは識別情報が認識できなくなるので、外観を従来の有床義歯と変わらない自然な状態とすることができる。
【００１０】
前記識別情報が、前記歯列弓における歯の位置を示す歯式番号を含むものであると、歯式番号を通常使用する歯科医師や歯科技工士であれば、識別情報を視認しただけで歯列弓における歯の位置を直ぐに、かつ容易に認識することができる。
【００１１】
前記歯式番号は、前記歯式番号の上側が唇側、口蓋側、舌側、頬側、遠心側または近心側のいずれかを向くように配置されていると、歯列弓における歯の位置だけでなく、人工歯の向きも容易に把握することができる。
【００１２】
前記識別情報が、溝による凹部または出っ張りによる凸部により形成されていれば、義歯床との接触面積が増加するため、接続強度を増強することができる。
【００１３】
前記歯式番号は、ＦＤＩ方式、ユニバーサル方式、Ｚｓｉｇｍｏｎｄｙ−Ｐａｌｍｅｒ方式またはＭＩＣＡＰ方式のいずれかによる表記とすることができる。
【００１４】
前記識別情報に、歯の種類を識別するための文字情報を含ませると、文字情報を見るだけで、容易に人工歯の種類を識別することができる。
【００１５】
前記基底面に、開口部の形状により歯の種類が識別可能な凹部、または天面の形状により人工歯の種類が識別可能な凸部が形成されていると、凹部の開口部または凸部の天面の形状により、容易に人工歯の種類を識別することができる。
【００１６】
本発明の人工歯セットは、本発明の人工歯を複数備えたことを特徴とする。
本発明の人工歯セットによれば、本発明の人工歯が複数あっても、それぞれの歯の位置を正確に把握することができる。
【００１７】
本発明の有床義歯は、本発明の人工歯と、前記人工歯を支持する義歯床とを備えたものとすることができる。
【発明の効果】
【００１８】
本発明によれば、歯科医師や歯科技工士が識別情報を見れば歯列弓における歯の位置を把握することができるので、本発明の人工歯を正確な位置に確実に配置することが可能である。
【図面の簡単な説明】
【００１９】
【図１】本発明の実施の形態１に係る人工歯である中切歯を示す図であり、（Ａ）は口蓋側から見た図、（Ｂ）は唇側から見た図である。
【図２】図１に示す人工歯の識別情報である歯式番号を説明するための図であり、（Ａ）はＦＤＩ方式を説明するための図、（Ｂ）はユニバーサル方式を説明するための図、（Ｃ）はＺｓｉｇｍｏｎｄｙ−Ｐａｌｍｅｒ方式を説明するための図、（Ｄ）はＭＩＣＡＰ方式を説明するための図である。
【図３】図１に示す歯式番号が方向を示すことを説明するための図である。
【図４】本発明の実施の形態１に係る人工歯である第１大臼歯を示す図であり、（Ａ）は舌側から見た図、（Ｂ）は遠心側から見た図である。
【図５】図４に示す歯式番号が方向を示すことを説明するための図である。
【図６】図１に示す人工歯を用いて有床義歯を製造する工程を説明するための図であり、（Ａ）は模型を示す図、（Ｂ）は基礎床に咬合堤が形成された咬合床を示す図、（Ｃ）は人工歯が配置された状態の図、（Ｄ）は有床義歯を示す図である。
【図７】本発明の実施の形態２に係る人工歯である中切歯を口蓋側から見た図であり、（Ａ）は凹部の開口部を三角形状とした図、（Ｂ）は凹部の開口部を四角形状とした図である。
【図８】本発明の実施の形態３に係る人工歯である中切歯を口蓋側から見た図であり、歯の種類を示す識別コードが含まれた識別情報を説明するための図である。
【図９】本発明の実施の形態４に係る人工歯である中切歯を示す口蓋側から見た図である。
【発明を実施するための形態】
【００２０】
［実施の形態１］
本発明の実施の形態１に係る人工歯および人工歯セット並びに有床義歯を図面に基づいて説明する。
（前歯部）
図１に示す人工歯１０は、前歯部の一例である上顎の左側の中切歯である。人工歯１０における義歯床に埋没する基底面１１には、開口部が円形状の凹部１２が形成されている。また、基底面１１には、歯列弓における歯の位置を示す視認可能な識別情報１３が付与されている。本実施の形態では、識別情報１３は歯列弓における歯の位置を示す歯式番号Ｎ１としている。
【００２１】
歯式番号Ｎ１は、溝による凹部または出っ張りによる凸部により形成されている。歯式番号Ｎ１を凹部により付与するときには、刻印としたり、レーザー照射による切削としたり、人工歯１０を樹脂成形するときの金型の基底面１１に対応する面に凸型とした歯式番号を形成することで、基底面１１に凹部としたりした歯式番号Ｎ１を付与することができる。
また、歯式番号Ｎ１を凸部により付与するときには、人工歯１０を樹脂成形するときの金型の基底面１１に対応する面に凹型とした歯式番号を形成することで、基底面１１に凸部とした歯式番号Ｎ１を付与することができる。
また、歯式番号Ｎ１は、人工歯１０を配置するときにだけに使用されるため印刷、転写等としてもよい。
【００２２】
この歯式番号Ｎ１は、図２に示すように、ＦＤＩ方式、Ｕｎｉｖｅｒｓａｌ方式、Ｚｓｉｇｍｏｎｄｙ−Ｐａｌｍｅｒ方式またはＭＩＣＡＰ方式のいずれかによる表記とすることができる。
図１に示す歯式番号Ｎ１の例では、ＦＤＩ方式によるものであり、上顎の左側の中切歯であるため「２１」である。
【００２３】
この歯式番号Ｎ１は、人工歯１０が上顎の左側の中切歯であるため、Ｕｎｉｖｅｒｓａｌ方式で表記した場合には「９」となり、Ｚｓｉｇｍｏｎｄｙ−Ｐａｌｍｅｒ方式とした場合には「
2019208643.tif 000003
」となる。また、ＭＩＣＡＰ方式とした場合には、「＃Ｉ1」となる。
【００２４】
歯式番号は、歯式番号の上側が唇側、口蓋側、舌側、頬側、遠心側または近心側のいずれかを向くように配置されている。
図３に示す例では、歯式番号Ｎ１を示す数字「２１」の上側（図３での下側）が唇側を向いているため、歯式番号Ｎ１の数字「２１」の下側は口蓋側となる。従って、図３での右側が遠心側、左側が近心側となる。
【００２５】
（臼歯部）
次に、臼歯部の一例である下顎の左側の第１大臼歯に位置する人工歯を説明する。
図４に示す人工歯２０は、図１に示す人工歯１０と同様に、義歯床に埋没する基底面２１には、開口部が円形状の凹部２２が形成されている。また、基底面２１には、歯列弓における歯の位置を示す視認可能な識別情報１３となる歯式番号Ｎ２が付与されている。
歯式番号Ｎ２は、図１に示す歯式番号Ｎ１と同様の方法にて付与することができる。
歯式番号Ｎ２は、ＦＤＩ方式によるものであり、下顎の左側の第１大臼歯であるため「３６」である。
図５に示す例では、歯式番号Ｎ２を示す数字「３６」の上側（図３での下側）が唇側を向いているため、歯式番号Ｎ２の下側は舌側となる。従って、図５での右側が近心側、左側が遠心側となる。
【００２６】
（有床義歯の製造）
図１に示す人工歯１０と図４に示す人工歯２０とは、これらを用いて通常の方法により有床義歯とすることができる。
例えば、歯科医師および歯科技工士が、上顎の有床義歯を作製するときには、まず、歯科医師が、歯が損失した部分の印象を採得して模型Ｍを作製する（図６（Ａ）参照）。次に、歯科技工士が、この模型からレジンによる基礎床を成形し、この基礎床３１にパラフィンワックスにより形成された咬合堤３２を配置して、咬合床３０を作製する（図６（Ｂ）参照）。
【００２７】
そして、歯科医師が、患者に咬合床３０を装着させ、咬合堤３２を溶融させながら、患者に噛み合わせをさせて、咬合堤３２に、咬合平面や正中、咬合高径、人工歯の配列位置などの咬合状態を記録する。
咬合堤３２に咬合状態が記録されると、歯科技工士がこの記録に基づいて、咬合堤３２を削り取りながら、または咬合堤３２を溶融させ、余分なパラフィンワックスを除去し、歯を象った中切歯用の人工歯１０や他の上顎用の人工歯を配列する（図６（Ｃ）参照）。
【００２８】
このとき、歯列弓のそれぞれの位置に対応した複数の人工歯が揃えられている人工歯セットの中から、損失した歯に該当する人工歯１０や他の人工歯を、図１に示す歯式番号Ｎ１を確認しながら取り出し、咬合堤に配置することで、人工歯１０を他の位置の人工歯と取り違えることなく配置することができる。
基礎床３１に人工歯１０を配置すると、人工歯１０の基底面１１は、咬合堤３２に埋没する。
【００２９】
次に、人工歯１０が咬合堤に並べられた基礎床を、フラスコ枠内に充填された石膏に埋没させる。石膏が固化すると、この石膏を鋳型として、歯科技工士が咬合堤および基礎床を加熱することでワックスを除去し、代わりにレジンを充填する。レジンが固化して、鋳型を型開きすれば、図６（Ｄ）に示す有床義歯４０が完成する。
咬合堤および基礎床の代わりのレジンが固化して義歯床４１となって、人工歯１０の基底面１１を埋没し、しっかりと保持した状態で成形される。
【００３０】
以上のように人工歯１０，２０が構成されているため、歯科医師や歯科技工士が識別情報１３（歯式番号Ｎ１，Ｎ２）である「２１」，「３６」を見れば、人工歯１０，２０の排列位置を特定することできる。そのため、人工歯１０が上顎の左側の中切歯であり、人工歯２０が下顎の左側の第１大臼歯であることが容易に把握できるので、人工歯１０，２０を正確な位置に確実に配置することが可能である。
なお、図６（Ａ）から同図（Ｄ）においては上顎の総義歯を例に説明したが、下顎の有床義歯を製造する場合も人工歯２０を用いることで同様に作製することができる。
【００３１】
歯式番号Ｎ１，Ｎ２が、義歯床に埋没する基底面に形成されているので、有床義歯としたときに歯式番号Ｎ１，Ｎ２が隠れるため、装着者からは歯式番号Ｎ１，Ｎ２が認識できなくなる。従って、従来の有床義歯と変わらず、自然な状態の有床義歯とすることができる。
【００３２】
歯式番号Ｎ１，Ｎ２が、溝による凹部または出っ張りによる凸部により形成されているので、義歯床との接触面積が増加して、機械的嵌合力が向上するため、接続強度を増強させることができる。
また、基底面１１，２１には、歯式番号Ｎ１，Ｎ２と共に、凹部１２，２２が形成されているため、歯式番号Ｎ１，Ｎ２と同様に機械的嵌合力が向上するため、人工歯１０，２０を強固に義歯床と接続することができる。
【００３３】
歯式番号Ｎ１，Ｎ２が、歯列弓における歯の位置を示す歯式番号であり、ＦＤＩ方式、ユニバーサル方式、Ｚｓｉｇｍｏｎｄｙ−Ｐａｌｍｅｒ方式またはＭＩＣＡＰ方式のいずれかによる表記としているため、歯式番号を通常使用する歯科医師や歯科技工士であれば、歯列弓における歯の位置を直ぐに、かつ容易に認識することができる。
【００３４】
歯式番号Ｎ１および歯式番号Ｎ２の上側が唇側を向いているので、歯列弓における歯の位置だけでなく、唇側の向きの他、口蓋側、舌側、遠心側、近心側まで、容易に向きを把握することができる。
【００３５】
本実施の形態では、図１および図４に示す識別情報１３が基底面１１，２１に形成されていたが、口蓋側または舌側、頬側の側面に形成されていてもよいが、頬側の側面に識別情報を付与した場合、有床義歯を口腔内に装着したときに外部から視認されやすいため、口蓋側または舌側の側面が望ましい。口蓋側または舌側の側面であっても識別情報１３が凹部または凸部により形成されていると、歯ざわりが悪くなることや、凹部または凸部に歯垢等が付着しやすくなるため、識別情報１３は基底面１１，２１に付与するのが望ましい。
【００３６】
［実施の形態２］
本発明の実施の形態２に係る人工歯を図面に基づいて説明する。
なお、図７においては、図１と同じ構成のものは同符号を付して説明を省略する。
本実施の形態２に係る人工歯では、歯の種類を、開口部の形状により識別可能な凹部、または天面の形状により識別可能な凸部が、基底面に形成されている。
ここで、歯の種類とは、材質やサイズ、色などが異なる人工歯を指す。
【００３７】
図１（Ａ）に示す人工歯１０および図４（Ａ）に示す人工歯２０では、凹部１２，２２は、開口部が円形状に形成されていた。しかし、本実施の形態では、図７（Ａ）に示すように、上顎の左側の中切歯とした人工歯１０Ａの基底面１１に形成された凹部１２ａの開口部を三角形状としたり、図７（Ｂ）に示すように、人工歯１０Ｂおける凹部１２ｂの開口部を四角形状としたりすることができる。更には、凹部の開口部を、五角形以上の多角形状とすることもできる。
【００３８】
例えば、図１（Ａ）に示すような凹部１２の開口部が円形状であれば、人工歯１０がレジン歯であることを示し、図７（Ａ）に示すような凹部１２ａの開口部が三角形状であれば、人工歯１０Ａが硬質レジン歯であることを示し、図７（Ｂ）に示すような凹部１２ｂの開口部が四角形状であれば、人工歯１０Ｂが陶歯であることを示すことができる。
【００３９】
このように、開口部の形状により人工歯の材質を識別するようにすることができる。
また、開口部の形状と、人工歯のサイズや色に対応させることで、材質を識別したときと同様に、人工歯のサイズや色を識別することができる。
また、凹部の代わりに凸部とした場合でも、凸部の天面の形状により、材質やサイズ、色などを識別するようにすることができる。
【００４０】
以上のように、本実施の形態２に係る人工歯１０Ａ，１０Ｂでは、歯の種類を、開口部の形状により区別可能な凹部１２ａ，１２ｂ、または天面の形状により区別可能な凸部が、基底面１１に形成されているため、外観から人工歯の種類を容易に把握することができる。
【００４１】
［実施の形態３］
本発明の実施の形態２に係る人工歯を図面に基づいて説明する。
なお、図８においては、図１と同じ構成のものは同符号を付して説明を省略する。
図８に示すように、本実施の形態３に係る人工歯１０Ｃでは、識別情報１３Ｃに、歯式番号Ｎ１だけでなく、歯の種類を識別するための文字情報である識別コードＮ３が含まれている。
【００４２】
本実施の形態では、識別コードを２桁のアルファベット文字としている。例えば、識別情報１３Ｃが「ＡＸ２１」であった場合、「２１」は、図１に示す人工歯１０と同じ、ＦＤＩ方式で歯列弓における歯の位置を示すものであり、上顎の左側の中切歯であることを示している。そして、「Ａ」は材質を識別するもので、レジン歯であることを示している。また、「Ｘ」はサイズを識別するものであり、例えば、サイズの種類であるＸ，Ｌ，Ｍ，Ｓのうち最も大きいサイズであることを示している。
【００４３】
このように識別情報１３Ｃとして、歯式番号Ｎ１だけでなく、識別コードＮ３が含まれることで、外観から人工歯の種類を容易に把握することができる。また、識別コードＮ３を文字情報としているため、文字を組み合わせることにより多くの種類の人工歯を表現することができる。
更に、人工歯１０Ｃでは、識別コードＮ３を凹部または凸部により形成するにより、歯式番号Ｎ１が形成された人工歯１０（図１（Ａ）参照）より文字数が多くなるため、より強固に義歯床と接続させることができる。
【００４４】
［実施の形態４］
本発明の実施の形態４に係る人工歯を図面に基づいて説明する。
なお、図９においては、図１と同じ構成のものは同符号を付して説明を省略する。
図９に示す本実施の形態４に係る人工歯１０Ｄでは、識別情報１３（歯式番号Ｎ１）が付与されているだけでなく、識別情報が格納され、無線信号に読み取り可能な発信素子Ｃが埋設され、内蔵されている。
【００４５】
この発信素子Ｃは、例えば、非接触式のパッシブダグ型のＲＦＩＤタグとすることができる。発信素子Ｃには、歯列弓における歯の位置を示す情報の他、色、形、大きさ（サイズ）等の人工歯の種類に関する情報も格納することができる。
【００４６】
このように発信素子Ｃが人工歯１０Ｄに埋設されていることで、人工歯１０Ｄに読取装置をかざすだけで、発信素子Ｃから識別情報と人工歯の種類に関する情報とを、非接触により読み取ることができる。
従って、見た目だけで人工歯の種類を判断するのではなく、確実な情報に基づいて人工歯の種類を確認することができるため、取り違いなどのミスを防止することができる。
【００４７】
なお、実施の形態１〜４に係る人工歯１０，２０，１０Ａ，１０Ｂ，１０Ｃ，１０Ｄの識別情報１３（歯式番号Ｎ１，Ｎ２），１３Ｃ（歯式番号Ｎ１）を歯式番号としているが、歯列弓における歯の位置が特定できれば、文字の他、記号、平面図形または立体図形、バーコードなどの光学的読取情報などとすることができる。また、基底面１１，２１のみを着色して、色を識別情報として付与し、色の種類により歯の位置を特定するようにしてもよい。基底面１１，２１のみが着色されているため、有床義歯４０としたときに、義歯床４１（図６参照）に隠れるため、外観を従来の有床義歯と変わらない自然な状態とすることができる。
【００４８】
また、実施の形態２に係る人工歯１０Ａ，１０Ｂでは、凹部や凸部により歯の種類を特定し、実施の形態３に係る人工歯１０Ｃでは識別コードＮ３により歯の種類を特定していたが、これらを組み合わせてもよい。
また、人工歯１０，２０，１０Ａ，１０Ｂ，１０Ｃ，１０Ｄは永久歯であったが、乳歯であってもよい。この場合、乳歯の位置に対応した識別情報（歯式番号）が付与される。
【産業上の利用可能性】
【００４９】
本発明は、損失した歯の代用となる人工歯および人工歯セット並びにこれらを用いた総義歯や部分床義歯などの有床義歯に好適である。
【符号の説明】
【００５０】
１０，２０，１０Ａ，１０Ｂ，１０Ｃ，１０Ｄ  人工歯
１１，２１  基底面
１２，２２，１２ａ，１２ｂ  凹部
１３，１３Ｃ  識別情報
Ｎ１，Ｎ２  歯式番号
Ｎ３  識別コード
Ｍ  模型
Ｃ  発信素子
３０  咬合床
３１  基礎床
３２  咬合堤
４０  有床義歯
４１  義歯床
【図１】
2019208643.tif 000004
【図２】
2019208643.tif 000005
【図３】
2019208643.tif 000006
【図４】
2019208643.tif 000007
【図５】
2019208643.tif 000008
【図６】
2019208643.tif 000009
【図７】
2019208643.tif 000010
【図８】
2019208643.tif 000011
【図９】
2019208643.tif 000012